【手続補正書】
【提出日】平成20年3月3日(2008.3.3)
【手続補正１】
【補正対象書類名】明細書
【補正対象項目名】特許請求の範囲
【補正方法】変更
【補正の内容】
【特許請求の範囲】
【補正の内容】
【特許請求の範囲】
【請求項１】
２次元トレーニング・セットから構築された２次元顔面モデルを使用して２次元画像の顔面画像を発見し、
３次元トレーニング・セットから構築された３次元顔面モデルを使用して顔面画像から３次元顔面表現を生成する、
ことを含む、３次元顔面表現を生成する方法。
【請求項２】
前記顔面画像を発見することが、顔面画像位置の初期推定、及び複数のモデル特徴注釈の１つの位置の新しい推定に基づいて、前記顔面画像位置を反復的に推定することを含む、請求項１に記載の方法。
【請求項３】
前記顔面画像を発見することが、
２次元顔面モデルを複数のモデル特徴注釈で注釈し、
平均観察ベクトルを使用して顔面画像位置を推定し、
前記複数のモデル特徴注釈の１つに特定された特徴サーチを使用して第１の特徴位置を推定し、
少なくとも前記顔面画像位置及び前記第１の特徴位置を使用して前記顔面画像を発見する、
ことを含む、請求項１に記載の方法。
【請求項４】
前記顔面画像を発見することが、
前記複数のモデル特徴注釈の他のものに特定された特徴サーチを使用して第２の特徴位置を推定し、
少なくとも前記顔面画像位置、前記第１の特徴位置、及び前記第２の特徴位置を使用して前記顔面画像を発見する
ことを含む請求項３に記載の方法。
【請求項５】
前記２次元トレーニング・セットから前記２次元顔面モデルを構築することを含む、請求項１に記載の方法。
【請求項６】
前記２次元トレーニング・セットから前記２次元顔面モデルを構築することが、
複数の手作業で注釈された特徴注釈から観察ベクトルを構成し、
前記観察ベクトルを正規化し、
正規化された前記観察ベクトルから共分散行列を構成し、
前記共分散行列に固有解析を実行して前記２次元顔面モデルを構築する、
ことを含む、請求項５に記載の方法。
【請求項７】
前記３次元顔面モデルを使用することが、３次元トレーニング・セットから構築された３次元顔面モデルを使用することを含み、各々の前記３次元トレーニング・セットが３つのモデル化座標変数の集合を含む、請求項１に記載の方法。
【請求項８】
３次元トレーニング・セットから３次元顔面モデルを構築し、各々の前記３次元トレーニング・セットが３つのモデル化座標変数の集合を含む、請求項１に記載の方法。
【請求項９】
前記２次元顔面表現を生成することと組み合わせて金融取引を処理することをさらに含む、請求項１に記載の方法。
【請求項１０】
サーバーでリモート・コンピュータから前記２次元画像を受信し、
前記サーバーから前記リモート・コンピュータへ前記３次元顔面表現を送信する、
ことをさらに含む、請求項１に記載の方法。
【請求項１１】
２次元トレーニング・セットから２次元顔面モデルを構築し、
前記２次元顔面モデルを使用して２次元画像の顔面画像を自動的に発見し、
３次元トレーニング・セットから構築された３次元顔面モデルを使用して前記顔面画像から３次元顔面表現を生成する、
ことを含む３次元顔面表現を生成する方法。
【請求項１２】
前記顔面画像を発見することが、
２次元顔面モデルを複数のモデル特徴注釈で注釈し、
平均観察ベクトルを使用して顔面画像位置を推定し、
複数のモデル特徴注釈の１つに特定された特徴サーチを使用して第１の特徴位置を推定し、
少なくとも顔面画像位置及び第１の特徴位置を使用して顔面画像を発見する
ことを含む、請求項１１に記載の方法。
【請求項１３】
顔面画像を発見することが、
複数のモデル特徴注釈の他のものに特定された特徴サーチを使用して第２の特徴位置を推定し、
少なくとも顔面画像位置、第１の特徴位置、及び第２の特徴位置を使用して顔面画像を発見する
ことを含む、請求項１２に記載の方法。
【請求項１４】
２次元トレーニング・セットから２次元顔面モデルを構築することが、
複数の手作業で注釈された特徴注釈から観察ベクトルを構成し、
観察ベクトルを正規化し、
正規化された観察ベクトルから共分散行列を構成し、
共分散行列に固有解析を実行して２次元顔面モデルを構築する、
ことを含む、請求項１１に記載の方法。
【請求項１５】
３次元顔面モデルを使用することが、３次元トレーニング・セットから構築された３次元顔面モデルを使用することを含み、前記３次元トレーニング・セットの各々が３つのモデル化座標変数の集合を含む、請求項１１に記載の方法。
【請求項１６】
３次元トレーニング・セットから３次元顔面モデルを構築することを含み、前記３次元トレーニング・セットの各々が３つのモデル化座標変数の集合を含む、請求項１５に記載の方法。
【請求項１７】
前記２次元顔面表現を生成することと組み合わせて金融取引を処理することをさらに含む、請求項１１に記載の方法。
【請求項１８】
２次元トレーニング・セットから構築された２次元顔面モデル、及び３次元トレーニング・セットから構築された３次元顔面モデルを少なくとも一時的に記憶するメモリと、
２次元顔面モデルを使用して２次元画像の顔面画像を自動的に発見して３次元顔面モデルを使用して顔面画像から３次元顔面表現を生成する少なくとも１つのプロセッサと、
を備える３次元顔面表現を生成する装置。
【請求項１９】
前記少なくとも１つのプロセッサが、
複数のモデル特徴注釈で前記２次元顔面モデルを注釈し、
少なくとも１つの平均観察ベクトルを使用することによって顔面画像位置を推定し、
複数のモデル特徴注釈の１つに特定された特徴サーチを使用することによって第１の特徴位置を推定し、
少なくとも顔面画像位置及び第１の特徴位置を使用することによって前記顔面画像を発見する、
請求項１８に記載の装置。
【請求項２０】
前記少なくとも１つのプロセッサが、
複数のモデル特徴注釈の他のものに特定された特徴サーチを使用することによって第２の特徴位置を推定し、
少なくとも顔面画像位置、第１の特徴位置、及び第２の特徴位置を使用することによって顔面画像を発見する、
請求項１９に記載の装置。
【請求項２１】
追加のプロセッサ及び前記少なくとも１つのプロセッサの１つが、
複数の手作業で注釈された特徴注釈から観察ベクトルを構成し、
観察ベクトルを正規化し、
正規化された観察ベクトルから共分散行列を構成し、
共分散行列に固有解析を実行することによって２次元顔面モデルを構築する、
請求項１８に記載の装置。
【請求項２２】
前記３次元モデルが３次元トレーニング・セットから構築され、各々の３次元トレーニング・セットが３つのモデル化座標変数の集合を含む、請求項１９に記載の装置。
【請求項２３】
追加のプロセッサ及び前記少なくとも１つのプロセッサの１つが３次元トレーニング・セットから３次元顔面モデルを構築し、各々の前記３次元トレーニング・セットが３つのモデル化座標変数の集合を含む、請求項２２に記載の装置。
【請求項２４】
前記プロセッサが金融取引を処理する、請求項１８に記載の装置。
【請求項２５】
３次元顔面表現を生成する方法であって、
２次元トレーニング・セットから２次元顔面モデルを構築し、
前記２次元顔面モデルを使用して２次元画像の顔面画像を自動的に発見し、
３次元トレーニング・セットから構築された３次元顔面モデルを使用して前記顔面画像から３次元顔面表現を生成する、
ことを含み、
前記２次元トレーニング・セットから前記２次元顔面モデルを構築することは、
（ｉ）      複数の手作業で注釈された特徴注釈から観察ベクトルを構成し、
（ｉｉ）    前記観察ベクトルを正規化し、
（ｉｉｉ）  前記正規化された観察ベクトルから共分散行列を構成し、
（ｉｖ）    前記共分散行列に固有解析を実行して前記２次元顔面モデルを構築する、
ことを含む、前記３次元顔面表現を生成する方法。
【請求項２６】
３次元顔面表現を生成する方法であって、
２次元トレーニング・セットから２次元顔面モデルを構築し、
前記２次元顔面モデルを使用して２次元画像の顔面画像を自動的に発見し、
３次元トレーニング・セットから構築された３次元顔面モデルを使用して前記顔面画像から３次元顔面表現を生成する、
ことを含み、
前記２次元顔面モデルを使用して２次元画像の顔面画像を自動的に発見することは、
（ｉ）      前記２次元顔面モデルを複数のモデル特徴注釈で注釈し、
（ｉｉ）    平均観察ベクトルを使用して顔面画像位置を推定し、
（ｉｉｉ）  前記複数のモデル特徴注釈の１つに特定された特徴サーチを使用して第１の特徴位置を推定し、
（ｉｖ）    少なくとも前記顔面画像位置及び前記第１の特徴位置を使用して前記顔面画像を発見し、
（ｖ）      ３次元トレーニング・セットから構築された３次元顔面モデルを使用して前記顔面画像から前記３次元顔面表現を生成する、
ことを含む、前記３次元顔面表現を生成する方法。
【請求項２７】
処理を実行させたときに３次元顔面表現を生成するよう構成されたソフトウェアプログラムを記録したコンピュータ読取可能記録媒体であって、前記コンピュータ読取可能記録媒体はソフトウェアプログラムを含み、前記ソフトウェアプログラムは、
２次元トレーニング・セットから構築された２次元顔面モデルを使用して２次元画像の顔面画像を発見するべく使用されるコンピュータ読取可能プログラムコードと、
３次元トレーニング・セットから構築された３次元顔面モデルを使用して前記顔面画像から３次元顔面表現を生成するべく使用されるコンピュータ読取可能プログラムコードと、
を含む、前記コンピュータ読取可能記録媒体。